(57)【要約】【課題】多灯式のサイドエッジ型バックライトにおけるランプ反射シートの負荷特性を同等のものとして管電流のばらつきを解消し信頼性と省電力化を向上する。【解決手段】３本の冷陰極蛍光ランプＣＦＬ１、ＣＦＬ２、ＣＦＬ３の長手方向に沿って略等距離を保持するごとく中央に位置する冷陰極蛍光ランプＣＦＬ３に対して導光板ＧＬＢの入光面ＰＩＳと反対の側に、その長手方向に沿った膨出部ＰＪＮをランプ反射シートＬＦＳに形成した。【選択図】　　　　図１
2004029597.tif 000002
【特許請求の範囲】
【請求項１】
液晶パネルの背面に照明光源を設置した液晶表示装置であって、
前記照明光源は、前記液晶パネルの主面と平行な平面を持つ透明材料からなる導光板と、前記導光板の少なくとも１辺の側面に有する入光面に沿い、当該入光面の厚み方向に平行に配列して設置した３本の線状光源、および前記３本の線状光源を前記導光板の入光面と対向する部分を除いた周囲を包囲して前記側面の長手方向に沿って設置した導電性のランプ反射シートを有し、
前記導光板の前記入光面と直交する方向において、前記３本の線状光源のうちの中央に位置する線状光源と前記導光板の入光面との距離が他の２本の線状光源と前記入光面との距離より大となるごとく当該他の２本の線状光源から前記入光面から後退した位置に設置されており、
前記ランプ反射シートと前記３本の線状光源のそれぞれとの間に形成される浮遊容量が略同一となる形状を有することを特徴とする液晶表示装置。
【請求項２】
前記ランプ反射シートは、前記３本の線状光源の長手方向に沿って略等距離を保持するごとく前記中央に位置する線状光源に対して前記導光板の入光面と反対の側に、その長手方向に沿った膨出部を有することを特徴とする請求項１に記載の液晶表示装置。
【請求項３】
前記導光板の前記入光面と鉛直な方向において、前記３本の線状光源は前記導光板の入光面との距離が等しく、前記ランプ反射シートと前記中央に位置する線状光源の前記導光板の入光面と反対の側に導電性の補助反射シートを設置したことを特徴とする請求項１に記載の液晶表示装置。
【請求項４】
前記導光板の前記入光面と鉛直な方向において、前記３本の線状光源は前記導光板の入光面との距離が等しく、前記ランプ反射シートの前記中央に位置する線状光源の前記導光板の入光面と反対の側が当該中央に位置する線状光源に接近するごとく、その長手方向に沿った凹陥部を有することを特徴とする請求項１に記載の液晶表示装置。
【請求項５】
前記導光板は全面の厚みが同一で、その対向する２辺のそれぞれに前記入光面を有し、各入光面に前記線状光源とランプ反射シートを有することを特徴とする請求項１乃至４の何れかに記載の液晶表示装置。
【請求項６】
前記導光板は前記一側面より、当該一側面と対向する側面に沿って漸次厚みが減少した断面楔形を有し、前記一側面の入光面に前記線状光源とランプ反射シートを有することを特徴とする請求項１乃至４の何れかに記載の液晶表示装置。
【請求項７】
前記液晶パネルと前記導光板の間に光拡散シートとプリズムシートの積層体からなる光学補償シートを介挿したことを特徴とする請求項１乃至６の何れかに記載の液晶表示装置。
【請求項８】
前記線状光源は冷陰極蛍光ランプであり、前記ランプ反射シートは金属板からなることを特徴とする請求項１乃至７の何れかに記載の液晶表示装置。
【発明の詳細な説明】
【０００１】
【発明の属する技術分野】
本発明は、液晶表示装置に係り、特に、液晶パネルの背面に導光板と線状光源とからなるバックライトを備えた液晶表示装置に関する。
【０００２】
【従来の技術】
ノート型コンピュータやコンピュータモニター、あるいはテレビ受像機用の高精細かつカラー表示が可能な液晶表示装置では、液晶パネルを背面から照明する光源（所謂、バックライト）を備えている。この種の液晶表示装置は、基本的には少なくとも一方がガラス板等の透明基板からなる２枚の基板の間に液晶層を挟持した所謂液晶パネルで構成し、上記液晶パネルの基板に形成した画素形成用の各種電極に選択的に電圧を印加して所定画素の点灯と消灯を行う形式（単純マトリクス）、上記各種電極と画素選択用のアクティブ素子を形成してこのアクティブ素子を選択することにより所定画素の点灯と消灯を行う形式（アクティブマトリクス）とに大きく分類される。
【０００３】
単純マトリクス型の液晶表示装置を開示した文献としては、例えば、特公昭５１−１３６６６号公報、特開平２−２５９６２１号公報等を挙げることができる。また、アクティブマトリクス型液晶表示装置は、一方の基板に形成した画素電極と他方の基板に形成した共通電極との間に液晶層の配向方向を変えるための電界を印加する、所謂縦電界方式を採用している（例えば、特開昭６３−３０９９２１号公報参照）。
【０００４】
一方、液晶層に印加する電界の方向を基板面とほぼ平行な方向とする、所謂横電界方式（ＩＰＳ方式とも言う）の液晶表示装置が実現された。この横電界方式の液晶表示装置としては、２枚の基板の一方に櫛歯電極を用いて非常に広い視野角を得るようにしたものがある（特公昭６３−２１９０７号公報、米国特許第４３４５２４９号明細書参照）。
【０００５】
上記何れの形式の液晶表示装置においても、その液晶パネルに形成される電子潜像を可視化するための照明光源を必要とする。この照明光源（以下、バックライトとも称する）として、アクリル系樹脂等の透明材料で成形した導光板の側面（サイドエッジ）に有する入光面に線状光源（冷陰極蛍光ランプや発光ダイオードアレイ等）を設置した、所謂サイドエッジ型バックライト、あるいは複数の線状光源を直接液晶パネルの背面に設置した、所謂直下型バックライトとが知られている。
【０００６】
上記の照明光源のうち、サイドエッジ型のバックライトは、導光板の少なくとも１つの側面に沿って、少なくとも１本の線状ランプを配置して構成される。線状光源には、導光板の入光面と対向する部分を除いた周囲を包囲して当該入光面の長手方向に沿って導電性のランプ反射シートが設置され、線状光源からの光を有効利用している。そして、導光板と液晶パネルの間に光拡散板とプリズムシートの積層体で構成した光学補償シートを介挿して、例えば樹脂製の枠状体であるモールドフレーム等に収容し、このモールドモールドと液晶パネルの周囲を周回して保持するシールドフレームとで駆動回路基板等と共に一体的に固定して液晶表示装置として製品化される。
【０００７】
このようなサイドエッジ型のバックライトを備えたテレビ受像機などの比較的大サイズの画面をもつ液晶表示装置では、その画面輝度を増大させるために、バックライトを構成する導光板の側面に設置する線状光源の本数を２本または３本あるいはそれ以上とする多灯式とすることが一つの手段である。このことは、全面の厚みが同一の導光板を用い、その対向する２辺のそれぞれの側面に有する入光面のそれぞれに線状光源とランプ反射シートを有するダブルサイドエッジ型のバックライトでも、また一側面と対向する他側面に沿って漸次厚みが減少した断面楔形を有する導光板を用い、前記一側面に有する入光面に前記線状光源とランプ反射シートを有するシングルサイドエッジ型のバックライトでも同様である。
【０００８】
【発明が解決しようとする課題】
図９は線状光源を３本とした多灯のサイドエッジ型バックライトの要部構造を説明する模式図であり、（ａ）は要部断面図、（ｂ）は要部平面図である。図９は導光板の一方の側面部分のみを示す。図中、参照符号ＧＬＢは導光板、ＣＦＬ（ＣＦＬ１、ＣＦＬ２、ＣＦＬ３）は線状光源である冷陰極蛍光ランプ、ＬＦＳはランプ反射シートである。矢印で示すＰＮＬは液晶パネル側に対向する出光面を示す。導光板ＧＬＢはアクリル樹脂の矩形透明板であり、その一辺の側面に入光面ＰＩＳが形成されている。この入光面ＰＩＳに沿って３本の冷陰極蛍光ランプＣＦＬ１、ＣＦＬ２、ＣＦＬ３が導光板ＧＬＢの厚み方向に平行に設置されている。
【０００９】
ランプ反射シートＬＦＳはステンレス板や真鍮板等の金属板、あるいは内面に金属箔を貼付、または金属材を蒸着した絶縁シートなどの全体として導電性のシートで構成される。このランプ反射シートＬＦＳは導光板ＧＬＢの入光面を除いて冷陰極蛍光ランプを囲むように導光板ＧＬＢの入光面ＰＩＳを覆い、当該側面に沿って設置される。このような多灯のサイドエッジ型バックライトでは、同一特性の冷陰極蛍光ランプを用いるのが普通である。３本の冷陰極蛍光ランプのうち、導光板ＧＬＢの厚み方向の両側に位置する冷陰極蛍光ランプＣＦＬ１およびＣＦＬ２と、中央に位置する冷陰極蛍光ランプＣＦＬ３とでは、ランプ反射シートＲＦＳに対する位置関係が異なる。
【００１０】
そのため、図９の（ａ）に示したように、導光板ＧＬＢの厚み方向の両側に位置する冷陰極蛍光ランプＣＦＬ１およびＣＦＬ２回りとランプ反射シートＬＦＳの間、中央に設置される冷陰極蛍光ランプＣＦＬ３回るとランプ反射シートＬＦＳの間に形成される浮遊容量Ｃ１、Ｃ２、Ｃ３に差が生じる。両側に位置する冷陰極蛍光ランプＣＦＬ１およびＣＦＬ２とランプ反射シートＬＦＳの間に形成される浮遊容量Ｃ１とＣ２は同等であるが、中央に位置する冷陰極蛍光ランプＣ３とランプ反射シートＬＦＳの間に形成される浮遊容量Ｃ３は上記浮遊容量Ｃ１とＣ２と異なったものとなる。この浮遊容量の差は冷陰極蛍光ランプの負荷特性に影響して始動性が劣化したり、冷陰極蛍光ランプの管電流がばらついてしまう。その結果、液晶表示装置としての信頼性が低下し、またバックライトの効率低下で省電力化が阻害される。これが解決すべき課題の一つとなっていた。
【００１１】
本発明の目的は、複数本の線状光源として冷陰極蛍光ランプを用いた多灯式のサイドエッジ型バックライトにおける上記の課題を解決することにあり、冷陰極蛍光ランプを包囲して設置されるランプ反射シートの構造を工夫することにより、各冷陰極蛍光ランプの負荷特性を同等のものとして管電流のばらつきを解消し信頼性と省電力化を向上した液晶表示装置を提供することにある。
【００１２】
【課題を解決するための手段】
上記目的を達成するために、本発明は、導光板の側面に有する入光面に沿って設置する複数の冷陰極蛍光ランプとランプ反射シートとの配置関係を全ての冷陰極蛍光ランプに対して同等なものとしたことを特徴とする。以下、本発明の代表的な構成を記述する。
【００１３】
（１）、液晶パネルの背面に照明光源を設置した液晶表示装置であって、
前記照明光源は、前記液晶パネルの主面と平行な平面を持つ透明材料からなる導光板と、前記導光板の少なくとも１辺の側面に有する入光面に沿い、当該入光面の厚み方向に平行に配列して設置した３本の線状光源、および前記３本の線状光源を前記導光板の入光面と対向する部分を除いた周囲を包囲して前記側面の長手方向に沿って設置した導電性のランプ反射シートを有し、
前記導光板の前記入光面と直交する方向において、前記３本の線状光源のうちの中央に位置する線状光源と前記導光板の入光面との距離が他の２本の線状光源と前記入光面との距離より大となるごとく当該他の２本の線状光源から前記入光面から後退した位置に設置されており、
前記ランプ反射シートと前記３本の線状光源のそれぞれとの間に形成される浮遊容量が略同一となる形状を有する。
【００１４】
（２）、（１）において、前記ランプ反射シートは、前記３本の線状光源の長手方向に沿って略等距離を保持するごとく前記中央に位置する線状光源に対して前記導光板の入光面と反対の側に、その長手方向に沿った膨出部を有する。
【００１５】
（３）、（１）において、前記導光板の前記入光面と鉛直な方向における前記３本の線状光源は、当該導光板の入光面との距離が等しく、前記ランプ反射シートと前記中央に位置する線状光源の前記導光板の入光面と反対の側に導電性の補助反射シートを設置した。
【００１６】
（４）、（１）において、前記導光板の前記入光面と鉛直な方向における前記３本の線状光源は、当該導光板の入光面との距離が等しく、前記ランプ反射シートの前記中央に位置する線状光源の前記導光板の入光面と反対の側が当該中央に位置する線状光源に接近するごとく、その長手方向に沿った凹陥部を有する。
【００１７】
（５）、（１）乃至（４）の何れかにおいて、前記導光板は全面の厚みが同一で、その対向する２辺のそれぞれに前記入光面を有し、各入光面に前記線状光源とランプ反射シートを有する。
【００１８】
（６）、（１）乃至（４）の何れかにおいて、前記導光板は前記一側面より、当該一側面と対向する側面に沿って漸次厚みが減少した断面楔形を有し、前記一側面の入光面に前記線状光源とランプ反射シートを有する。
【００１９】
（７）、（１）乃至（６）の何れかにおいて、前記液晶パネルと前記導光板の間に光拡散シートとプリズムシートの積層体からなる光学補償シートを介挿した。
【００２０】
（８）、（１）乃至（７）の何れかにおいて、前記線状光源は冷陰極蛍光ランプであり、前記ランプ反射シートは金属板からなる。
【００２１】
上記各構成としたことにより、複数の冷陰極蛍光ランプの特性が同等なものとなり、管電流のばらつきが解消され、信頼性を向上した液晶表示装置を得ることができる。
【００２２】
なお、本発明は、上記の構成および後述する実施例の構成に限定されるものではなく、本発明の技術思想を逸脱することなく種々の変更が可能であることは言うまでもない。
【００２３】
【発明の実施の形態】
以下、本発明の実施の形態について、実施例の図面を参照して詳細に説明する。なお、以下に説明する各実施例における冷陰極蛍光ランプ、ランプ反射シート、その他の構成材は略同様の材料で加工されるので、それぞれの実施例においては、これらの構成材についての詳細は説明を省略する。
【００２４】
図１は本発明の液晶表示装置の第１実施例を構成するバックライトの模式図であり、（ａ）は断面図、（ｂ）は（ａ）のＡ部分の拡大図である。図中、参照符号ＧＬＢはアクイリル樹脂板で成形した導光板、ＣＦＬは線状光源としての冷陰極蛍光ランプ、ＬＦＳはランプ反射シート、ＰＩＳは導光板ＧＬＢの側面に有する入光面、ＰＪＮは膨出部を示す。本実施例では、３本の冷陰極蛍光ランプＣＦＬ１、ＣＦＬ２、ＣＦＬ３を導光板ＧＬＢの入光面ＰＩＳに沿って当該導光板ＧＬＢの厚み方向に配置されている。
【００２５】
そして、３本の冷陰極蛍光ランプＣＦＬ１、ＣＦＬ２、ＣＦＬ３のうち、中央に位置する冷陰極蛍光ランプＣＦＬ３と導光板ＧＬＢの入光面ＰＩＳとの距離を他の２本の冷陰極蛍光ランプＣＦＬ１、ＣＦＬ２と入光面ＰＩＳとの距離より大となるごとく入光面ＰＩＳから後退した位置に設置されている。
【００２６】
ランプ反射シートＬＦＳはステンレス板を加工して形成され、３本の冷陰極蛍光ランプＣＦＬ１、ＣＦＬ２、ＣＦＬ３のそれぞれの長手方向に沿ってその管面とランプ反射シートＬＦＳとの距離が略等しくなるように、中央に位置する冷陰極蛍光ランプＣＦＬ３に対して導光板ＧＬＢの入光面ＰＩＳと反対の側に、その長手方向に沿った膨出部ＰＪＮを有する。この膨出部ＰＪＮは中央に位置する冷陰極蛍光ランプＣＦＬ３と対向する面が平面となっている。
【００２７】
このような構成としたことにより、３本の冷陰極蛍光ランプＣＦＬ１、ＣＦＬ２、ＣＦＬ３のそれぞれとランプ反射シートＬＦＳの間に形成される浮遊容量は略同等なものとなる。したがって、各冷陰極蛍光ランプの負荷特性は略均等となり、点灯時の始動特性が向上し、管電流のばらつきも解消される。本実施例により、信頼性と省電力化を向上した液晶表示装置を得ることができる。
【００２８】
図２は本発明の液晶表示装置の第２実施例を構成するバックライトの模式図であり、（ａ）は断面図、（ｂ）は（ａ）のＢ部分の拡大図である。図中、図１と同一の参照符号は同一機能部分を示す。本実施例では、図１で説明した第１実施例における膨出部ＰＪＮを中央の冷陰極蛍光ランプＣＦＬ３に２面で対向する形状としたものである。他の構成は第１実施例と同様なので、繰り返しの説明は省略する。
【００２９】
本実施例では、ランプ反射シートＬＦＳの中央の冷陰極蛍光ランプＣＦＬ３に対向する部分に形成した膨出部ＰＪＮが両側の位置する２本の冷陰極蛍光ランプＣＦＬ１、ＣＦＬ２と同様に管面に対して２面で対向している。そのため、両側の位置する３本の冷陰極蛍光ランプＣＦＬ１、ＣＦＬ２、ＣＦＬ３との間に形成される浮遊容量の調整がより容易になる。
【００３０】
本実施例の構成としたことにより、３本の冷陰極蛍光ランプＣＦＬ１、ＣＦＬ２、ＣＦＬ３のそれぞれとランプ反射シートＬＦＳの間に形成される浮遊容量は略同等なものとなる。したがって、各冷陰極蛍光ランプの負荷特性は略均等となり、点灯時の始動特性が向上し、管電流のばらつきも解消される。本実施例により、信頼性と省電力化を向上した液晶表示装置を得ることができる。
【００３１】
図３は本発明の液晶表示装置の第３実施例を構成するバックライトの模式図であり、（ａ）は断面図、（ｂ）は（ａ）のＣ部分の拡大図である。図中、参照符号ＬＦＳ−Ｓは補助ランプ反射シート、図１および図２と同一の参照符号は同一機能部分を示す。本実施例では、３本の冷陰極蛍光ランプＣＦＬ１、ＣＦＬ２、ＣＦＬ３は、導光板ＧＬＢの入光面ＰＩＳに鉛直な方向において導光板ＧＬＢの入光面ＰＩＳとの距離が等しく配置されている。
【００３２】
ランプ反射シートＬＦＳは３本の冷陰極蛍光ランプＣＦＬ１、ＣＦＬ２、ＣＦＬ３の配列方向に平行に設置されている。そして、ランプ反射シートＬＦＳと中央に位置する冷陰極蛍光ランプＣＦＬ３の導光板ＧＬＢの入光面ＰＩＳとは反対の側に導電性の補助反射シートＬＦＳ−Ｓを設置した。この補助反射シートＬＦＳ−Ｓはランプ反射シートＬＦＳと同一材料でもよいし、他の適宜の導電性材料を用いて形成したものでもよく、ランプ反射シートＬＦＳとは適宜の場所で電気的に接続される。他の構成は第１実施例あるいは第２実施例と同様なので、繰り返しの説明は省略する。
【００３３】
本実施例では、ランプ反射シートＬＦＳと中央の冷陰極蛍光ランプＣＦＬ３との間に補助反射シートＬＦＳ−Ｓを設置したことにより、両側に位置する２本の冷陰極蛍光ランプＣＦＬ１、ＣＦＬ２と中央に位置する冷陰極蛍光ランプＣＦＬ３との間に形成される浮遊容量の調整がより容易になる。
【００３４】
本実施例の構成としたことにより、３本の冷陰極蛍光ランプＣＦＬ１、ＣＦＬ２、ＣＦＬ３のそれぞれとランプ反射シートＬＦＳの間に形成される浮遊容量は略同等なものとなる。したがって、各冷陰極蛍光ランプの負荷特性は略均等となり、点灯時の始動特性が向上し、管電流のばらつきも解消される。本実施例により、信頼性と省電力化を向上した液晶表示装置を得ることができる。
【００３５】
図４は本発明の液晶表示装置の第４実施例を構成するバックライトの模式図であり、（ａ）は断面図、（ｂ）は（ａ）のＤ部分の拡大図である。図中、参照符号ＡＬＣは凹陥部、図１乃至図３と同一の参照符号は同一機能部分を示す。本実施例では、３本の冷陰極蛍光ランプＣＦＬ１、ＣＦＬ２、ＣＦＬ３は、導光板ＧＬＢの入光面ＰＩＳに鉛直な方向において導光板ＧＬＢの入光面ＰＩＳとの距離が等しく配置されている。
【００３６】
ランプ反射シートＬＦＳは３本の冷陰極蛍光ランプＣＦＬ１、ＣＦＬ２、ＣＦＬ３の配列方向において、両側の２本の冷陰極蛍光ランプＣＦＬ１、ＣＦＬ２の位置では平行に設置されている。そして、ランプ反射シートＬＦＳは、中央に位置する冷陰極蛍光ランプＣＦＬ３の導光板ＧＬＢの入光面ＰＩＳとは反対の側で凹陥部ＡＬＣを形成している。他の構成は第１実施例乃至第３実施例と同様なので、繰り返しの説明は省略する。
【００３７】
本実施例では、ランプ反射シートＬＦＳに中央の冷陰極蛍光ランプＣＦＬ３の部分で凹陥部ＡＬＣを形成して当該中央の冷陰極蛍光ランプＣＦＬ３の管面に接近した部分を有する。この構成により、両側に位置する２本の冷陰極蛍光ランプＣＦＬ１、ＣＦＬ２と中央に位置する冷陰極蛍光ランプＣＦＬ３との間に形成される浮遊容量の調整がより容易になる。
【００３８】
本実施例の構成としたことにより、３本の冷陰極蛍光ランプＣＦＬ１、ＣＦＬ２、ＣＦＬ３のそれぞれとランプ反射シートＬＦＳの間に形成される浮遊容量は略同等なものとなる。したがって、各冷陰極蛍光ランプの負荷特性は略均等となり、点灯時の始動特性が向上し、管電流のばらつきも解消される。本実施例により、信頼性と省電力化を向上した液晶表示装置を得ることができる。
【００３９】
以上説明した第１乃至第４実施例におけるランプ反射シートＬＦＳの断面形状は各図に示したような矩形を基本とするものに限るものではなく、部分円形断面や部分楕円断面、その他の適宜の断面形状を基本とすることもできる。また、導光板ＧＬＢと遠い部分の角にある屈曲部、あるいは膨出部ＰＪＮ、若しくは凹陥部ＡＬＣ等は、滑らかな湾曲を有するものとすることができる。さらに、中央に位置する冷陰極蛍光ランプＣＦＬ３の管面と対向する膨出部ＰＪＮや凹陥部ＡＬＣの面を適宜変更して最適な浮遊容量に調整することも本発明の技術思想に含まれる。またさらに、上記の各実施例では、３本の冷陰極蛍光ランプを用いたのを例としたしたが、本発明はこれに限るものではなく、さらに多数の冷陰極蛍光ランプを導光板の同一側面に設置した際のそれぞれの浮遊容量の差を本発明の技術思想の基づくランプ反射シートの構成で解消できる。
【００４０】
図５は本発明による液晶表示装置の全体構成の一例を説明する展開斜視図である。また、図６は図５のＥ−Ｅ’線に相当する位置で切断した断面図である。図５中、参照符号ＯＰＳはプリズムシートや拡散シートからなる光学シート、ＧＬＢは導光板、ＲＦＳは反射シート、ＭＤＬはモールドフレーム、ＳＨＤはシルドフレーム、ＣＦＬ（ＣＦＬ１、ＣＦＬ２、ＣＦＬ３）は冷陰極蛍光ランプ、ＲＦＳは反射板である。また、参照符号ＤＩＣは液晶パネルＰＮＬに実装した駆動ＩＣ、ＦＰＣ１、ＦＰＣ２は駆動ＩＣ等に表示のためのデータやタイミング信号を供給するためのフレキシブルプリント基板、ＬＰＣはランプケーブルを示す。この液晶表示装置は、図１に示した構成のバックライトを使用している。
【００４１】
導光板ＧＬＢはモールドフレームＭＤＬの内側に設置され、その下側には反射板ＲＦＳが設けられている。導光板ＧＬＢの液晶パネルＰＮＬ側にはプリズムシートや拡散シートからなる光学シートＯＰＳが重ね合わされてモールドフレームＭＤＬに収容されている。そして、導光板ＧＬＢのの両側の側縁に沿って各３本の冷陰極蛍光ランプＣＦＬ１、ＣＦＬ２、ＣＦＬ３がそれぞれ前記実施例で説明したように配置されている。
【００４２】
液晶パネルＰＮＬは図６に示したように、第１の基板ＳＵＢ１と第２の基板ＳＵＢ２の間に液晶を挟持して構成される。その表裏両面にはそれぞれ偏光板ＰＯＬ１、ＰＯＬ２が貼付されている。なお、図６には図５に示した駆動ＩＣやフレキシブルプリント基板ＦＰＣ１、ＦＰＣ２等は図示を省略してある。このような構成とした液晶表示装置において、液晶パネルＰＮＬは導光板ＧＬＢ、冷陰極蛍光ランプＣＦＬ、ランプ反射シートＬＦＳ等で構成されたバックライトからの光で照明され、当該液晶パネルＰＮＬに形成された電子潜像を可視化して観察者の目ＥＹＥに出射する。
【００４３】
図７は本発明の液晶表示装置を構成する液晶パネルの回路構成を簡略に説明するブロック図である。図中、参照符号ＡＲは液晶パネルの有効表示領域を示し、この有効表示領域ＡＲにおいて前記した第１の基板ＳＵＢ１の内面に走査線ＧＬ、データ線ＧＬ、対向電極線ＣＬが形成されている。走査線ＧＬとデータ線ＧＬの交差部分に画素選択用の薄膜トランジスタ等のアクティブ素子が形成されている（図示せず）。対向電極線ＣＬは前記第２の基板または第１の基板の内面に形成され、端子Ｖｃｏｍから所要の電圧が印加される。
【００４４】
走査線ＧＬは走査回路ＧＤＲで駆動され、データ線ＧＬにはデータ線駆動回路ＤＤＲから表示データが供給される。コントローラＣＴＬは外部信号源ＳＳＣから入力する表示信号に基づいて表示データやタイミング信号などの制御信号を生成する。表示データはデータ線駆動回路ＤＤＲに与えられ、制御信号は走査回路ＧＤＲに印加される。電源回路ＰＷＵは液晶表示装置に必要とれる各種の電圧を生成する。
【００４５】
図８は本発明の液晶表示装置を適用した電子機器の一例であるテレビ受像機の外観図である。このテレビ受像機は表示部とスタンド部で構成され、比較的大サイズの画面を有する液晶表示装置が表示部に実装される。液晶表示装置の画面となる液晶パネルＰＮＬの有効表示領域は表示部に露呈されている。このテレビ受像機の表示部に本発明の液晶表示装置を実装することで、信頼性と省電力化の向上を実現できる。
【００４６】
なお、本発明は、上記実施例のサイドエッジ型バックライトを用いた液晶表示装置に限らず、前記した直下型のバックライトにおける反射板との間の浮遊容量の調整にも適用できることは言うまでもない。
【００４７】
【発明の効果】
以上説明したように、本発明によれば、複数の冷陰極蛍光ランプとそのランプ反射シートとの配置関係に基づく浮遊容量の差を解消でき、冷陰極蛍光ランプで代表される線状光源を複数設置した場合の始動特性や管電流のばらつきが解消される。その結果、信頼性が高く、かつ省電力化を向上した液晶表示装置を提供することができる。
【図面の簡単な説明】
【図１】本発明の液晶表示装置の第１実施例を構成するバックライトの模式図である。
【図２】本発明の液晶表示装置の第２実施例を構成するバックライトの模式図である。
【図３】本発明の液晶表示装置の第３実施例を構成するバックライトの模式図である。
【図４】本発明の液晶表示装置の第４実施例を構成するバックライトの模式図である。
【図５】本発明による液晶表示装置の全体構成の一例を説明する展開斜視図である。
【図６】図５のＥ−Ｅ’線に相当する位置で切断した断面図である。
【図７】本発明の液晶表示装置を構成する液晶パネルの回路構成を簡略に説明するブロック図である。
【図８】本発明の液晶表示装置を適用した電子機器の一例であるテレビ受像機の外観図である。
【図９】線状光源を３本とした多灯のサイドエッジ型バックライトの要部構造を説明する模式図である。
【符号の説明】
ＧＬＢ・・・・導光板、ＣＦＬ・・・・冷陰極蛍光ランプ、ＬＦＳ・・・・ランプ反射シート、ＰＩＳ・・・・入光面、ＰＪＮ・・・・膨出部、ＣＦＬ（ＣＦＬ１、ＣＦＬ２、ＣＦＬ３）・・・・冷陰極蛍光ランプ、ＬＦＳ−Ｓ・・・・補助ランプ反射シート、ＡＬＣ・・・・凹陥部。
【図１】
2004029597.tif 000003
【図２】
2004029597.tif 000004
【図３】
2004029597.tif 000005
【図４】
2004029597.tif 000006
【図５】
2004029597.tif 000007
【図６】
2004029597.tif 000008
【図７】
2004029597.tif 000009
【図８】
2004029597.tif 000010
【図９】
2004029597.tif 000011